(57)【要約】    【課題】      寝たきり要介護者に対し、被介護者が最も厄介とする課題に排泄物の処理がある、悪臭が伴うことから面倒な介護とされ毎日の取替え交換が重荷となり、深刻な社会問題となっている。  【解決手段】              被介護者の労力と精神的苦痛を解消する観点から、排泄介護訓練用模擬体装置を用い、排泄口付オシメと介護用機能内蔵自動制御装置とに連動させ、要介護者に仕立てた模擬体で、介護用装置の取扱い方法又は機器の操作及び専門的知識を実習させ、要介護者へ違和感や誤操作等を解消させ安心介護サービスの充実を目的とした人材教育で問題点を解消しょうとするものである。【選択図】図１
2005242076.tif 000002
【特許請求の範囲】
【請求項１】
要介護者に見立てた模擬体を用い、排泄口付オシメの取替え交換から介護用機能内蔵自動制御装置の基礎的技術操作又は機能の技術的専門知識を習得させる実践養成装置であって、模擬体表面に擬似硬軟脂肪を施し、内部局所に注水等で体重調整できる構造とし、関節各部位を自在に曲折又は股関節を広狭でき、模擬体腹部に腹筋空気圧帯を取付けた手段と、排尿部と肛門部に糞尿放出口を設け擬似糞尿と洗浄水及び空気圧送器具を備え、内外夫々パイプと接続させ手動等で操作する排泄介護サービス等提供者の人材育成を目的とした形態の排泄介護訓練用模擬体装置。
【発明の詳細な説明】
【技術分野】
【０００１】
本発明は、要介護者が排泄口付オシメを用い模擬体装置に装着させ、オシメの取替え交換時の体位扱いと、センサーとパイプ等を纏めたケーブルの接続方法及び介護用機能内蔵自動制御装置各機能の基礎又は専門的知識を習得させる事を目的とした排泄介護訓練用模擬体装置に関する技術である。
【背景技術】
【０００２】
介護を受ける方、介護をする方、共に大変厄介な問題である、そこで一定期間取替え交換を不要としたオシメと排泄物処理方法の開発によって解消されるものの、この方法だと医療器具に属する事から装置の取扱いと操作に必要な基礎的又は専門的知識を習得させ適切な排泄介護サービスを提供する事を目的とした人材育成に関する技術である。
【特許文献１】特願２００３−３４３２３６
【発明の開示】
【発明が解決しようとする課題】
【０００３】
オシメと排泄物処理方法と連動の介護用機能内蔵自動制御装置を取扱うにはオシメ脱着手順やシステムの基本的操作又は技術的専門知識及び介護福祉概論や一般的教養を習得させ、家族又は専門の介護者として人材養成する目的から排泄介護訓練用模擬体装置を用い技術を習得させ手馴れた被介護者によって、排泄物の手動又は自動処理に対する違和感や不安等の課題を解決しょうとするものである。
【課題を解決するための手段】
【０００４】
本発明は上記目的を達成するため、排泄介護訓練用模擬体装置に求められた手段と作用は次の通りである。                
【０００５】
要介護者に見立てた模擬体を用い、排泄口付オシメの取替え交換から介護用機能内蔵自動制御装置の基礎的技術操作又は機能の技術的専門知識を習得させる実践養成装置であって、模擬体表面に擬似硬軟脂肪を施し又、内部局所に注水等で体重調整できる構造とし、関節各部位を自在に曲折又は股関節を広狭でき、模擬体腹部に腹筋空気圧帯を取付けた手段と、排尿部と肛門部に糞尿放出口を設け擬似糞尿と洗浄水及び空気圧送器具を備え、内外配管の夫々パイプと接続させ手動等で操作する手段で、排泄介護サービス等に必要な資格習得を目的とした形態の排泄介護訓練用模擬体装置。    
【０００６】
擬似糞は残飯等を粉砕させアンモニアと防腐剤などを加え練混ぜ流動状とし、擬似尿には黄色水に尿酸を混入させ、擬似糞尿をカートリッジの使い捨て容器等とし、体外又は体内に設置し模擬体放尿部と肛門部の糞尿放出口に自然又は強制的に流下させる手段と、腹筋空気圧帯に圧搾と緩圧を数秒間隔で繰返す機能を有した空気圧送器具で、排便兆候状態を腹筋圧センサーで感知させ寝たきり要介護擬体に装着した排泄口付オシメ内に泡水からシャワーとドライでオシメ内部の糞尿分別を処理させ、オシメ外部で洗浄水にて擬似糞尿を下水管に流し処理する方法を実習体験させ介護システム全般に関する専門知識を習得させ排泄介護サービスに係わる提供者の教育訓練を目的とした形態の排泄介護訓練用擬体装置。
【発明の効果】
【０００７】
本発明の排泄介護訓練用擬体装置は、排泄口付オシメの脱着手順と制御装置の誤操作を防止させ安全で安心して寝たきり要介護者のサービスを提供する上で重要な排泄介護システムの教養を図り、又ショー・ルーム等で実技訓練させＰＲを通じ介護利用者等に理解を得る効果が期待できる。
【発明を実施するための最良の形態】
【０００８】
以下、本発明の実施の形態として、実施例を図１〜図８に基づいて説明する。
【実施例１】
【０００９】
図１において、介護訓練用模擬体１を要介護者に見立てた模擬身体１aに排泄口付オシメ３を装着し介護専用寝台６に寝たきり状態にさせ擬似糞入カートリッジ２aとパイプ２b及び擬似尿入カートリッジ２dとパイプ２eには夫々開閉弁付とし、模擬体内各種パイプ接続口１kと接続させ糞放出口２c又は尿放出口２fに自然流下等させ排出口付オシメ３内部で処置し陰部及び尻股部周りを清潔にさせ、排泄物を下水管に流し処理するシステムを示したもので、訓練終了後は糞尿送出パイプ２b及び２eに接続した開閉弁弁付の容器入洗浄水２hでパイプ内部を洗浄する手段と、オシメ被覆内に内蔵した公知の各種機能可撓パイプと各種機能センサー及び内視鏡とホースは股幅保持仕切壁３fを経て外部で纏めた一軸ケーブル４uと、排泄口付オシメ専用の介護用機能内蔵自動制御装置７と連動の外部同軸ケーブル７jと同色同体で接続させ、模擬身体１aの排泄物処理を手動又は自動で制御し泡水からシャワー及びドライと洗浄水まで人手不用で処理するシステムであって、、排出ホース保護管５gを経て合成樹脂等素材で形成した洗浄水孔付臭気防止管５kから洗浄水パイプ５mで便器接続の下水管又は貯溜槽５oへ流し処理する排泄介護訓練用模擬体の基本システムを示した標準側面図である。            
【００１０】
図２は、介護訓練用模擬体１の表面を擬似硬軟脂肪面１gにするため合成樹脂等素材で形成し覆い、模擬身体内部に所定の体重を設け訓練させる観点から水を用いる数袋注出入口と、又は局所に相応の重量物を付した手段と、模擬身体１a内部に配した糞送出パイプ２bと尿送出パイプ２e及び空気圧送パイプ１iは可撓管とし、同種色分けの外部パイプと接続させる事のできる手段とし、模擬体内パイプ接続口１kは不使用時の開閉蓋１Lを設け、模擬体腹部１b周りに腹筋圧空気圧縮帯１jを取付けた手段で、関節部位を自在に屈曲でき太腿部位は広狭できる擬似人体の形態をした排泄介護訓練用模擬体を示した標準平面図である。
【００１１】
図３は、介護訓練用模擬体の模擬身体１a内部に糞送出パイプ２bと尿送出パイプ２eには夫々放出口を設け擬似糞尿を排泄口付オシメ内に流し処理する手段と、空気圧送パイプ１iを経て模擬体腹部１b周りの腹筋圧空気圧縮帯１jに空気圧送器具１hから所定の間隔で送風と停止を繰返した機能とした空気圧送器具１hを備え、排便兆候をセンサーで感知させる手段の形態とした排泄に関する実習用の排泄介護訓練用模擬体を示した標準断面図である。
【００１２】
図３において、空気圧送器具１hには腹筋圧空気圧縮帯１jに所定の間隔で送風と停止を繰返した機能の他に、擬似糞入を流下させる糞送出パイプ２bに接続させ訓練終了後空気圧送でパイプ中の擬似糞を洗出す仕組みとし、同時に容器入洗浄水２h下端管に開閉弁を付け洗浄水パイプ２iは擬似糞入カートリッジ２a下端部管の開閉弁下側と擬似尿入カートリッジ２d下端部管の開閉弁下側とに接続させ、訓練終了後空気圧送させ洗浄水パイプの開閉弁を手動等で行い洗浄水を流しアンモニア等の異臭を取除き洗浄清掃する手段による擬似糞尿と洗浄水パック容器２であって、寒冷地で凍結の恐れある部材には不凍液を用いる事とし、介護訓練で専門知識を習得さす目的とした機構の模擬体と擬似糞尿などのシステムを示した標準断面図である。
【００１３】
図４は、排泄口付オシメを示したもので、前面部伸縮防水被覆３aには男女用とがあり、前面外縁伸縮防水被覆３b内部に各種機能センサーとして陰部周り尿臭センサー４gと陰部周り湿度センサー４h及び前面被覆内湿度センサー４iと腹筋圧センサー４m並びにオシメ装着有無センサー４nを配備し、各機能センサーの感知で陰部周りシャワーパイプ兼用前面部ドライ噴射孔付パイプ４pの作動で噴射する仕組みと、前側被覆内ドライ噴射孔付パイプ４rの作動でドライ噴射する手段と、腹筋圧センサー４mとオシメ装着有無センサー４nの内蔵で４mは排便兆候を知らせ、４nは装着前の操作による作動を防ぎ停止する機能と備え、当該機能別センサー線と仝可撓パイプは股幅保持仕切壁３fを経て外部の同軸ケーブルの同色同体と接続させ用いる介護訓練で専門知識を習得さす目的とした機構の前側オシメ内部である。
【００１４】
図４において、後面尻股部伸縮防水被覆３c内部には、肛門股周り糞臭センサー４jと肛門股周り湿度センサー４k及び後側尻周り湿度センサー４Lを配し、各機能センサーの感知で肛門股周り泡水噴射孔付パイプ４oと肛門股周りシャワーパイプ兼用後面部ドライ噴射孔付パイプ４p並びに後側被覆内ドライ噴射孔付パイプ４sの各作動で噴射する仕組みと、肛門部開口器具４の各部材を可動さす用途別中性仕様両回回転モーター４eは内視鏡と連動のポース４fで画像を見て遠隔操作し肛門部を開口させるもので、模擬身体を使って実技訓練し専門的知識を習得させる形態の排泄口付オシメを示した介護訓練を目的とした機構の標準姿図である。
【００１５】
図５は、後面尻股部伸縮防水被覆３c内部に設けた肛門部開口器具４で破線部分はオシメ装着時に肛門部肌に接し縮めた状態であって、装着後は内視鏡カメラと連動のホース４fを通じ遠隔操作によって体形に合せ肛門位置に誘導させ開口板で調整し肛門部位を開ける構造とし、肛門股部における各種機能のセンサーと仝パイプの内蔵と配置状態を示した肛門部開口器具と各種機能内蔵を示した介護訓練で専門知識を習得さす目的とした機構の標準断面図である。
【００１６】
図６は、要介護者に見立てた模擬身体１aに排泄口付オシメ３を装着させ、寝たきりで排泄物を下水管に処理させるもので、オシメ脱着用止具伸縮バンド３hを固定シートと止掛具３iに胴腰周り体形に合わせ適切に取付け、排泄物排出口と放出ホース接続保護管５は、防臭除菌空気清浄器兼クッシャン台座５cの上部に露出の形状記憶放出ホース５bの上部をラッパ型口５hにした部分に連結用凹凸ボタン止具５aを取付けオシメと一体の排泄物排出口３dと連結させ、左右寝返りで排出ホース保護管５g内に備えた形状記憶放出ホース５bは上下スライドし、上下部ストッパー５i・５jの張力で連結用止具５aと伸縮バンド３hが容易に外れない構造とし、擬似糞尿２aと２dの放出は洗浄水孔付臭気防止管５kに貯め、洗浄水５mで一気に下水管に流し処理する排泄物処理の形態を示したオシメ装着と排泄物処理方法の介護訓練で専門知識を習得さす目的とした機構の詳細側面図である。
【００１７】
図７は、要介護者に仕立てた模擬身体１aに排泄口付オシメ３を装着させる排泄物排出口と放出ホース接続保護管５と、防臭除菌空気清浄器兼クッシャン台座５c及び排出ホース保護管５g内に備えた形状記憶放出ホース５bとの関連図であり、排泄口付オシメの取替え交換時の連結取扱いを示した排出口と排出ホース接続部取付け、介護訓練で専門知識を習得さす目的とした機構の詳細側面図である。
【実施例２】
【００１８】
図８は、実施例１に示した手段と形態によるオシメと排泄物処理方法の目的を解決するため、本オシメ専用の介護用機能内蔵自動制御装置と連動させ介護する装置の実施例を説明する、介護用機能内蔵自動制御装置７には液晶画面と表示灯操作盤７aには肛門部開口器具４をモニターで遠隔操作する操作盤を備え、左・同時・右の切替スイッチと開口板を前後と内角・外角及び上下に調整する操作盤で開口器具を作動させる手段と、泡水・温水・温風等の温度設定確認及び泡剤補給器等の保守管理と共に、装置と接続させ測定する器具の操作、例えば心電図測定、血圧脈拍測定、呼気測定、糞尿成分分析測定等を用い記録データーを出力させる機能を内蔵した装置での操作方法等基礎又は専門的知識を修得させ、記録結果表は医療施設等管理者に提示させる手段による介護用機能内蔵自動制御装置の実施例を示した介護訓練で専門知識を習得さす目的とした機構の標準立体図である。
【００１９】
図８において、本装置には防臭除菌空気清浄器兼クッション台座５cと防臭除菌空気清浄器５dとを連動させ一体とした構造とし、介護用機能内蔵自動制御装置と連動させ湿気センサー作動で除湿器ケーブル５fは自動的に電源ＯＮ／ＯＦＦになる機能とし、防臭剤を定期的に補充し又、機能の異常とトラブルの発生箇所表示灯７hと緊急時通報と表示灯７hは共に画面表示又は音声或いは点滅等で知らせる手段と、給湯機器と非常用充電式蓄電池７Iを備え、管理者用介護カメラ７Lで常時、施設又は病院等管理者と要介護者の枕付近に置いた送受信器によって、表情や動作及び症状等を管理する機構とした装置であって、好ましくはテレビ・ラジオ・ＣＤ・ＤＶＤ等を要介護者に見せ聴かせる機能を備えた装置であり、家族又はプロの介護者が巡回サービスする事ができる介護訓練で専門知識を習得さす目的とした機構の装置である。
【００２０】
実施例１と２の排泄介護訓練用模擬体装置は、上述の他に模擬体を横に移動させオシメを取り替える訓練、オシメ装着の脱着用止具付伸縮バンド３hの止め張付け方、防臭除菌空気清浄除湿器兼クッション台座５cの防臭剤交換、形状記憶放出ホース５bとオシメ３との連結用ボタン止具５aの掛け方の訓練、内視鏡と連動ホース４fから伝送した画像で肛門部開口器具４の用途別中性仕様両回回転モーターを操作盤で操り開口板を誘導させ肛門部を開き又は元に戻す訓練、シーツ毛布等の取替え等、基礎的知識及び各種機能センサーとパイプによる泡水・温水・温風のチエック、又は介護用機能内蔵自動制御装置の各部の名称と機能等についての専門的知識を習得させる手段で、介護未教養者は社会福祉介護概論から症状別介護方法及び痴呆ケアの基礎的実践学等を教育し、実際の要介護者の介護に役立つ人材育成を目的とした排泄介護訓練用模擬体装置である。
【産業上の利用可能性】
【００２１】
高齢化社会に伴い痴呆症等で寝たきり状態の要介護者を巡回等サービスに当り、その基礎的又は専門的知識を排泄介護訓練用模擬体装置を用い習得させることにより排泄介護システムの技術力を身に付け安心介護の人材養成で質的向上に資する目的から利用可能性は自明である。
【図面の簡単な説明】
【００２２】
【図１】排泄介護訓練用模擬体システムを示した標準側面図である。
【図２】排泄介護訓練用模擬体構造を示した標準平面図である。
【図３】模擬体と擬似糞尿などのシステムを示した標準断面図である。
【図４】排泄排出口付オシメを示した標準姿図である。
【図５】肛門部開口器具と各種機能を示した標準断面図である。
【図６】オシメ装着と排泄物処理方法を示した詳細側面図である。
【図７】排出口と排出ホース接続部を示した拡大側面図である。
【図８】オシメと排泄物処理方法連動の介護用機能内蔵自動制御装置の実施例を示した標準立体図である。
【符号の説明】
【００２３】
1   排泄介護訓練用模擬体
1a  模擬身体
1b  模擬体腹部
1c  模擬体尻部
1d  模擬体太腿部
1e  模擬体放尿部
1f  模擬体肛門部
1g  擬似硬軟脂肪面
1h  空気圧送器具
1i  空気圧送パイプ
1j  腹筋空気圧帯
1k  模擬体内パイプ接続口
1L  開閉蓋
2   擬似糞尿と洗浄水パック容器
2b  擬似糞入カートリッジ
2b  糞送出パイプ
2c  糞放出口
2d  擬似尿入カートリッジ
2e  尿送出パイプ
2f  尿放出口
2g  台座付吊具キャスター台
2h  容器入洗浄水
2i  洗浄水パイプ
3   排泄口付オシメ
3a  前面部伸縮防水被覆
3b  前面外縁伸縮防水被覆
3c  後面側尻部伸縮防水被覆
3d  排泄物排出口
3e  肛門部開口器具周り補強基盤シート  
3f  股幅保持仕切壁
3g  各機能別パイプと仝センサー及び内視鏡ホース接続口
3h  オシメ脱着用止具付伸縮バンド
3i  固定シートと止掛具
4   肛門部開口器具
4a  コの字型前後可動調整盤
4b  はこ型左右伸縮可動内枠
4c  開口板角度調整歯溝付上部枠
4d  開口板昇降下部枠  
4e  可動用中性仕様両回回転モーター
4f  内視鏡と連動ホース
4g  陰部周り尿臭センサー
4h  陰部周り湿度センサー
4i  前側被覆内湿度センサー
4j  肛門股周り糞臭センサー
4k  肛門股周り湿度センサー
4L  後側尻周り湿度センサー
4m  腹筋圧センサー
4n  オシメ装着有無センサー
4o  肛門股周り泡水噴射孔付パイプ
4p  陰部周りシャワーパイプ兼用前面部ドライ噴射孔付パイプ
4q  肛門股周りシャワーパイプ兼用後面部ドライ噴射孔付パイプ
4r  前側被覆内ドライ噴射孔付パイプ
4s  後側被覆内ドライ噴射孔付パイプ
4u  各種機能パイプと仝センサー及び内視鏡ホース一軸ケーブル
5   排泄物排出口と排出ホース接続保護管
5a  連結用ボタン止具
5b  形状記憶放出ホース
5c  防臭空気清浄除湿器兼クッション台座
5d  防臭除菌空気清浄除湿器
5e  脱着防止部
5f  装置連動の除湿器ケーブル
5g  排出ホース保護管
5h  上部ラッパ型口
5i  下端部ストッパー
5j  上端部ストッパー
5k  洗浄水孔付臭気防止管
5L  温風露出開閉弁
5m  洗浄水パイプ
5n  継手エルボ
5o  便器接続の下水管又は貯溜槽
5p  排出ホース保護管固定具
6   排泄口付オシメ専用寝台
6a  穴付シーツと毛布
6b  穴付敷フトン
6c  穴付マット
6d  穴付ベッド
6e  排出ホース保護管設置空間部
7   オシメと排泄物処理専用の介護用機能内蔵自動制御装置
7a  液晶画面と表示灯操作盤
7b  オシメ連動の各種センサー機能分析制御装置
7c  泡水自動補給タンクと自動制御開閉弁付パイプ
7d  温水シャワー自動補給タンクとドライ温送風機器
7e  温水シャワーとドライ振分自動制御切替開閉弁付パイプ
7f  洗浄水自動補給タンクと送水自動制御開閉弁付パイプ
7g  介護用測定機器接続口と分析記録機能装置   
7h  異常・トラブル発生箇所表示灯及び緊急時通報機能と表示灯
7i  給湯機器と非常用充電式蓄電池
7j  オシメ接続の各機能センサーと仝パイプ及び内視鏡ホース同軸ケーブル
7k  液晶テレビ・ラジオ・ＣＤ・ＤＶＤ機能内蔵
7L  管理者用介護カメラ
【図１】
2005242076.tif 000003
【図２】
2005242076.tif 000004
【図３】
2005242076.tif 000005
【図４】
2005242076.tif 000006
【図５】
2005242076.tif 000007
【図６】
2005242076.tif 000008
【図７】
2005242076.tif 000009
【図８】
2005242076.tif 000010
【手続補正書】
【提出日】平成17年2月16日(2005.2.16)
【手続補正１】
【補正対象書類名】特許請求の範囲
【補正対象項目名】請求項１
【補正方法】変更
【補正の内容】
【請求項１】
要介護者に仕立てた模擬体であって、模擬体表面を合成樹脂系の硬軟材で造形し関節及び股関節部位を屈曲と広狭できる厚薄状として人体の如く形成し、模擬体腹部に腹筋空気圧帯を取りつけ排尿部と肛門部に糞尿放出口を設けた手段と、模擬体内部又は外部に擬似糞尿と洗浄水及び空気圧送機具を備え、内外パイプと接続させ主に手動で操作する模擬体装置であって、排泄口付オシメと介護用機能内蔵自動制御装置とに連動させ、装置全般の操作及び基礎又は専門知識を被介護者に習得させる介護養成を目的とした形態の排泄介護訓練用模擬体装置。
【手続補正２】
【補正対象書類名】明細書
【補正対象項目名】全文
【補正方法】変更
【補正の内容】
【発明の詳細な説明】
【技術分野】
【０００１】
本発明は、要介護者に仕立てた等身大の模擬体を寝せた状態で連動さす排泄口付オシメの脱着及び肛門部開口器具を内視鏡で遠隔操作する訓練と、又、介護用機能内蔵自動制御装置の各種機能の基礎又は専門的知識や付属する臨床試験方法を習得させる事を目的とした排泄介護訓練用模擬体装置に関する技術である。
【背景技術】
【０００２】
介護を受ける方、介護をする方、共に大変厄介な問題に寝たきり状態による排泄物の取扱い処理がある、そこで一定期間取替え交換を不要としたオシメと排泄物処理方法（特願２００３−３４３２３６、発明者、畑中廣美）の発明によって解消されるものの、この方法だと医療行為に属すると解釈される事から装置の取扱いと操作に必要な基礎的及び専門的知識を模擬体装置で、実践的な習得で適切な排泄介護サービスを提供する事を目的とした介護養成に関する技術である。
【特許文献１】特願２００３−３４３２３６
【発明の開示】
【発明が解決しようとする課題】
【０００３】
オシメと排泄物処理方法とで連動の介護用機能内蔵自動制御装置を取扱うには、制御システムの基本的操作及び技術的専門知識並びに臨床工学と介護福祉概論等一般的教養を習得させ、被介護者に有資格者として養成するもので、排泄介護訓練用模擬体装置を用い実践的技術を習得させ、手馴れた技能で排泄物の処理作業を円滑に行うと共に、要介護者への違和感や不安を解消させることで課題を解決しようとするものである。
【課題を解決するための手段】
【０００４】
本発明は上記目的を達成するため、排泄介護訓練用模擬体装置に求められる手段と作用は次の通りである。
【０００５】
要介護者に仕立てた模擬体であって、模擬体全面を公知のマネキンの如く合成樹脂等の硬軟材で厚薄に擬体を造形し、関節部位及び股関節を屈曲と広狭で人体の如く形成し、模擬体腹部に血圧測定帯の如く腹筋空気圧帯を擬体腹部に取りつけ、排尿部と肛門部に糞尿放出口を設けた手段と、模擬体内部又は外部に擬似糞尿と洗浄水及び操作盤付空気圧送機具を備え電動で可動させ、内外配管の夫々栓付パイプと接続し手動又半自動で操作する擬体装置であって、排泄口付オシメと介護用機能内臓自動制御装置とに連動させ、基礎的技術操作及び専門的知識を被介護者に習得させる介護養成を目的とした形態の排泄介護訓練用模擬体装置。
【０００６】
模擬体に用いる擬似糞は、米飯等を粉砕し着色させアンモニアと防腐剤などを加え練混ぜ流動状に加工する、一方擬似尿は黄薄色水に尿酸を適量に混入させ加工し擬似尿とし各々カートリッジ式とし容器は容量を表わす目盛り付きとする、模擬体内部又は外部に設置した擬似糞尿は操作盤（電源・空気圧計・各パイプ切替スイッチ等）を手動操作し又、空気圧送機具で強制的に放出させる手段と、腹筋空気圧帯を擬体腹部周りに備え圧搾と緩圧を数秒間繰返す機能を有した空気圧送機具は電動で作動させ、排便兆候状態を排泄口付オシメ内部に設けた腹筋圧センサーで感知させ、寝たきり状態でオシメ内部を泡水からシャワーとドライで糞尿分別で自動処理させ、オシメ外部の洗浄水で擬体糞尿を下水管に流し処理する方法を実習体験させ、簡単な臨床学と介護システム全般に関する技術的専門知識を習得する排泄介護サービスに携わる提供者の教育訓練を目的とした形態の排泄介護訓練用模擬体装置。
【発明の効果】
【０００７】
本発明の排泄介護訓練用模擬体装置は、排泄口付オシメの脱着手順含め安全と安心で寝たきり要介護者のサービスを提供する事にあり、操作含め重要な排泄介護システムの実習を以って所定の排泄介護に必要な専門知識を介護福祉専門学校で養成する事は無論、ショールーム等で実技訓練させＰＲを通じ排泄介護サービスの理解を得る効果が期待できる。
【発明を実施するための最良の形態】
【０００８】
以下、本発明の実施の形態として、実施例を図１〜図８に基づいて説明する。
【実施例１】
【０００９】
図１において、排泄介護訓練用模擬体１を要介護者に仕立てた模擬身体１aに排泄口付オシメ３を装着し、介護専用寝台６に寝たきり状態にさせ擬似糞入カートリッジ２aと擬似尿入カートリッジ２d及び容器入洗浄水２hを台座付吊具キャスター台２gに備え、同時に小型コンプレッサーを一部改良した操作盤付空気圧送機具１hを一体装置として取付ける、この一体装置は模擬身体１a内部に取付けることもできる、操作盤付空気圧送機具１hから糞送出パイプ２bと尿送出パイプ２e各々に空気圧送パイプ１iを接続させ操作盤のスイッチで手動操作する、容器入洗浄水２h下端部に栓付バルブを設け２b及び２eをＹ字型継手パイプに接続し圧送に用いる、腹筋空気圧帯１jには直通とし自動作動とさせ電源は手動とする、１hと１jは公知の血圧測定器具の如く自動制御で作動する機能を備えた構造とし、擬似糞尿の送出は指導員が実習状況に応じて手動操作し、事後の処理は排泄口付オシメ３内部で自動処理され、排泄物を下水管に流し処理するシステムを示したもので、排泄介護訓練用模擬体装置と一体のシステムを示した標準側面図である。
【００１０】
図２は、排泄介護訓練用模擬体１の構造図であって、全面を公知のマネキンの如く合成樹脂系の擬似硬軟脂肪面１gとし、関節部位の屈曲及び股関節部位を容易に広狭できるよう１gを厚薄で造形し、模擬身体１a内部に配した糞送出パイプ２bと尿送出パイプ２e及び空気圧送パイプ１iを可撓管とさせ、使用用途に合せ操作盤のスイッチを手動で操作し糞尿や圧送及び洗浄水を調整する、外部からの同種色分けたパイプと模擬体内パイプ接続口１kは開閉蓋１L内部に設け接続させ、模擬体腹部１b内部周りに腹筋空気圧帯１jを備えた擬似身体１aの形態とした排泄介護訓練用模擬体の構造を示した標準平面図である。
【００１１】
図３は、排泄介護訓練用模擬体１を示し、模擬身体１aの付近に台座付吊具キャスター台２gを据付、吊具に擬似糞尿と洗浄水パック容器２を備え、空気圧送パイプ１iは操作盤付空気圧送機具１hから直通で糞送出パイプ２bと尿送出パイプ２eのＹ字型継手パイプに接続させる、容器入洗浄水２h下端部に栓付バルブを設け洗浄水パイプ２iを取付け、糞送出パイプ２b及び尿送出パイプ２eにＹ字型継手パイプを用い接続させる、空気圧送パイプ１iと糞送出パイプ２b及び尿送出パイプ２eの各々下端部は模擬身体１a内部の接続口１kとに接続させる形態とした実習用の排泄介護訓練用模擬体を示した標準断面図である。
【００１２】
図３において、模擬身体１aの模擬体内パイプ接続口１kと外部とのパイプを接続し、体内に配したパイプ１iは腹筋空気圧帯１jと接続し、２bは糞放出口２cと連結させ２eは尿放出口２fと連結させた仕組みとし、実習終了後に手動で擬似糞又は擬似尿を操作盤上の切替スイッチで空気圧送と洗浄水で洗い出す仕組みとし、又、寒冷地では不凍液を使用し凍結を防止させる擬似糞尿などのシステムを示した排泄介護訓練を目的とした標準断面図である。
【００１３】
図４は、オシメと排泄物処理方法のうち排泄口付オシメを示したもので、前面部伸縮防水被覆３aには男女用とがあり、前面外縁伸縮防水被覆３b内部に各種機能センサーとして陰部周り尿臭センサー４gと陰部周り湿度センサー４h及び前面被覆内湿度センサー４iと腹筋圧センサー４m並びにオシメ装着有無センサー４nを配備し、各機能センサーの感知で陰部周りシャワーパイプ兼用前面部ドライ噴射孔付パイプ４pの作動でドライ噴射する手段と、腹筋圧センサー４mとオシメ装着有無センサー４nの内臓で４mは排便兆候を知らせ、４nは装着前の操作による作動を防ぎ停止する機能を備え、当該機能別センサー線と仝可撓パイプは股幅保持仕切壁３fを経て外部の同軸ケーブルの同色同体と接続させ用いる介護訓練で専門知識を習得さす目的とした機構の前側オシメ内部の説明である。
【００１４】
図４において、後面尻股部伸縮防水被覆３c内部には、肛門股周り糞臭センサー４jと肛門股周り湿度センサー４k及び後側尻周り湿度センサー４Lを配し、各機能センサーの感知で肛門股周り泡水噴射孔付パイプ４oと肛門股周りシャワーパイプ兼用後面部ドライ噴射孔付パイプ４p並びに後側被覆内ドライ噴射孔付パイプ４sの各作動で噴射する仕組みと、肛門部開口器具４の各部材を可動さす用途別の中性仕様両回回転モーター４eは内視鏡と連動のホース４fで画像を見て遠隔操作し肛門部を排便容易に開口させるもので、模擬身体を用い実技訓練し、その他機器装置の専門的知識を習得させる形態の排泄口付オシメを示した介護訓練を目的とした機構の標準姿図である。
【００１５】
図５は、後面尻股部伸縮防水被覆３c内部に設けた肛門部開口器具４で、開口器具の破線部分は排泄口付オシメ装着時に肛門部肌接近し縮めた状態であって、装着後は内視鏡カメラと連動のホース４fを通じ遠隔操作によって体形に合せ肛門位置に誘導させ開口板で調整し肛門部位を開ける手段と、肛門股部における各種機能内蔵を示したもので介護訓練で専門的技能を習得さす目的の標準断面図である。
【００１６】
図６は、要介護者に仕立てた模擬身体１aに排泄口付オシメ３を装着させ、寝たきりで排泄物を下水管に自動処理するシステムであり、オシメ脱着用止具伸縮バンド３hを固定シートと止掛具３iに胴腰周り体形に合わせ適正に取付け、排泄物排出口と放出ホース接続保護管５は防臭除菌空気清浄器兼クッション台座５cの上部に露出の形状記憶放出ホース５bの上部をラッパ型口５hにした部分に連結用凹凸ボタン止具５aを取付けオシメと一体の排泄物排出口３dと連結させ、左右横寝で排出ホース保護管５g内に備えた形状記憶放出ホース５bは上下スライドし、上下部ストッパー５i・５jの張力で連結用止具５aと伸縮バンド３hが容易に外れない構造にし、擬似糞尿２aと２dの放出は洗浄水孔付臭気防止管５kに貯め、線浄水５mで一気に下水管に流し処理する排泄物処理方法の形態を示した排泄介護訓練と専門知識を習得させる目的とした機構の詳細側面図である。
【００１７】
図７は、要介護者に仕立てた模擬身体１aに排泄口付オシメ３を装着させる排泄物排出口と放出ホース接続保護管５と、防臭除菌空気清浄器兼クッション台座５c及び排出ホース保護管５g内に備えた形状記憶放出ホース５bとの関連図であり、排泄口付オシメの取替え交換時の連結取扱いと、排出口と排出ホース接続部の取付けを示したもので介護訓練で専門技能として習得さす目的とした詳細側面図である。
【実施例２】
【００１８】
図８は、実施例１に示した排泄介護訓練用模擬体装置を用い訓練するものの、オシメと排泄物処理方法専用の介護用機能内蔵自動制御装置には次のような付加装置が装備されその実施例を説明する、介護用機能内蔵自動制御装置７には液晶画面と表示灯操作盤７aが備えられ、特に制御装置には付加装置として外づけで検査する当該装置と一体なる器具が装備され、例えば心電図測定、血圧脈拍測定、呼気測定、糞尿成分分析測定等であり、記録データーを入出力させる機能を内蔵され、記録データー結果表は医療施設等管理者に提出させる手段による介護用機能内蔵自動制御装置の実施例を示したもので、介護訓練でこれらの操作や専門知識を習得させる目的とした機構の標準立体図である。
【００１９】
図８において、介護用機能内蔵自動制御装置には機能の異常やトラブルの発生箇所表示灯７hと緊急時通報装置とは共に画面表示か又は音声或いは点滅等で知らせる手段と、給湯機器と非常用充電式蓄電池７iを備え、又、好ましくは管理者用介護カメラ７Lで施設・病院等管理者が要介護者の寝室に設置した送受信器によって、表情や行動及び症状等を監視する装置を備え、一連の装置を取扱う被介護者は実習訓練で専門的操作の知識を習得さす目的の機構とした立体図である。
【００２０】
実施例１と２の排泄介護訓練用模擬体装置は、上述の他に模擬体を起こしてオシメを取替え交換する訓練、オシメ脱着用止具付伸縮バンド３hの張付方、防臭除菌空気清浄除湿器兼クッション台座５cの防臭剤交換、形状記憶放出ホース５bとオシメ３との連結用ボタン止具５aの掛け方の訓練、内視鏡連動ホース４fから伝送した画像で肛門部開口器具４の各種用途別の中性仕様両回回転モーターを操作盤で操り開口板を左右前後に誘導し肛門部を開き又は元に戻す訓練、シーツ毛布の取替え等の訓練、これら装置を取扱う各部の名称や目的及び用途等について、基礎的知識又は専門的知識を教材テキスト又はビデオ等視聴覚教育で習得させ、実務訓練で要介護者の排泄介護に役立つ人材育成を目的とした排泄介護訓練用模擬体装置である。
【産業上の利用可能性】
【００２１】
高齢化社会に伴い痴呆症等で寝たきり状態の要介護者が増加の一途から、特に厄介とされる排泄物の取扱いと処理の問題がある、そこで寝たきり状態で全自動的に処理する排泄口付オシメの発明によって解消されるものの医療機器に属することから排泄介護に従事する被介護者は専門的知識を習得する必要あり、排泄介護全般の教養を身に付ける手段として排泄介護訓練用模擬体装置を用い、安全・安心介護の専門知識を身に付ける人材養成を以って質的向上を目指す目的から利用可能性は自明である。
【図面の簡単な説明】
【００２２】
【図１】排泄介護訓練用模擬体システムを示した側面図。
【図２】排泄介護訓練用模擬体構造を示した平面図。
【図３】模擬体と擬似糞尿などの回路を示した断面図。
【図４】排泄口付オシメを示した姿図。
【図５】肛門部開口器具と各種機能を示した断面図。
【図６】オシメ装着と排泄物処理方法を示した詳細側面図。
【図７】排出口と排出ホース接続部を示した拡大側面図。
【図８】オシメと排泄処理方法連動の介護用機能内蔵自動制御装置の実施例              を示した立体図。
【符号の説明】
【００２３】
１  排泄介護訓練用模擬体
１a模擬身体
１b模擬体腹部
１c模擬体尻部
１d模擬体太腿部
１e模擬体放尿部
１f模擬体肛門部
１g擬似硬軟脂肪面
１h操作盤付空気圧送機具
１i空気圧送パイプ
１j腹筋空気圧帯
１k模擬体内パイプ接続口
１L開閉蓋
２  擬似糞尿と洗浄水パック容器
２a擬似糞入カートリッジ
２b糞送出パイプ
２c糞放出口
２d擬似尿入カートリッジ
２e尿送出パイプ
２f尿放出口
２g台座付吊具キャスター台
２h容器入洗浄水
２i洗浄水パイプ
３  排泄口付オシメ
３a前面部伸縮防水被覆
３b前面外縁伸縮防水被覆
３c後面側尻部伸縮防水被覆
３d排泄物排出口
３e肛門部開口器具周り補強基盤シート
３f股幅保持仕切壁
３g各機能別パイプと仝センサー及び内視鏡ホース接続口
３hオシメ脱着用止具付伸縮バンド
３i固定シートと止掛具
４  肛門部開口器具
４aコの字型前後可動調整盤
４bはこ型左右伸縮可動内枠
４c開口板角度調整歯溝付上部枠
４d開口板昇降下部枠
４e可動用中性仕様両回回転モーター
４f内視鏡と連動ホース
４g陰部周り尿臭センサー
４h陰部周り湿度センサー
４i前側被覆内湿度センサー
４j肛門股周り糞臭センサー
４k肛門股周り湿度センサー
４L後側尻周り湿度センサー
４m腹筋圧センサー
４nオシメ装着有無センサー
４o肛門股周り泡水噴射孔付パイプ
４ｐ陰部周りシャワーパイプ兼用前面部ドライ噴射孔付パイプ
４q肛門股周りシャワーパイプ兼用後面部ドライ噴射孔付パイプ
４r前側被覆内ドライ噴射孔付パイプ
４s後側被覆内ドライ噴射孔付パイプ
５  排泄物排出口と排出ホース接続保護管
５a連結用ボタン止具
５b形状記憶放出ホース
５c防臭空気清浄除湿器兼クッション台座
５d防臭除菌空気清浄除湿器
５e脱着防止部
５f装置連動の除湿器ケーブル
５g排出ホース保護管
５h上部ラッパ型口
５i下端部ストッパー
５j上端部ストッパー
５k洗浄水孔付臭気防止管
５L温風露出開閉弁
５m洗浄水パイプ
５n継手エルボ
５o便器接続の下水管又は貯溜槽
５p排出ホース保護管固定具
６  排泄口付オシメ専用寝台
６a穴付シーツと毛布
６b穴付敷フトン
６c穴付マット
６d穴付ベッド
６e排出ホース保護管設置空間部
７  オシメと排泄物処理専用の介護用機能内蔵自動制御装置
７a液晶画面と表示灯操作盤
７bオシメ連動の各種センサー機能制御装置
７c泡水自動補給タンクと自動制御開閉弁付パイプ
７d温水シャワー自動補給タンクとドライ温送風機器
７e温水シャワーとドライ振分自動制御切替開閉弁付パイプ
７f洗浄水自動補給タンクと送水自動制御開閉弁付パイプ
７g介護用測定機器接続口と分析記録機能装置
７h異常・トラブル発生箇所表示灯及び緊急時通報機能と表示灯
７i給湯機器と非常用充電式蓄電池
７jオシメ接続の各種センサーと仝パイプ及び内視鏡ホース同軸ケーブル
７k液晶テレビ・ラジオ・ＣＤ・ＤＶＤ機能内蔵
７L管理者用介護監視カメラ
【手続補正３】
【補正対象書類名】図面
【補正対象項目名】図１
【補正方法】変更
【補正の内容】
【図１】
2005242076.tif 000011
【手続補正４】
【補正対象書類名】図面
【補正対象項目名】図３
【補正方法】変更
【補正の内容】
【図３】
2005242076.tif 000012